(57)【要約】【課題】構造を簡素化すると共に部品点数を減少させても全身をマッサージすることができる椅子式マッサージ機を提供することを課題とする。【解決手段】被施療者２が座る座部３と、座部３の一側面に設けられた背凭れ部４と、座部３の他側面に設けられた脚保持部５と、被施療者２と反対側の背凭れ部４から座部３を介して脚保持部５にわたり連続して形成されたガイドレール６と、ガイドレール６上を自在に移動するマッサージユニット７とを備える。【選択図】        図１
2005185468.tif 000002
【特許請求の範囲】
【請求項１】
被施療者が座る座部と、座部の一側面に設けられた背凭れ部と、座部の他側面に設けられた脚保持部と、背凭れ部から座部を介して脚保持部にわたり連続して形成されたガイドレールと、ガイドレール上を自在に移動するマッサージユニットとを備えたことを特徴とする椅子式マッサージ機。
【請求項２】
前記ガイドレールは、椅子式マッサージ機のフレームを兼用していることを特徴とする請求項１記載の椅子式マッサージ機。
【請求項３】
前記マッサージユニットは、背凭れ部から座部間にわたり往復移動するように制御されていることを特徴とする請求項１または請求項２記載の椅子式マッサージ機。
【請求項４】
前記マッサージユニットは、座部から脚保持部間にわたり往復移動するように制御されていることを特徴とする請求項１または請求項２記載の椅子式マッサージ機。
【請求項５】
前記マッサージユニットは、座部を介して背凭れ部から脚保持部間にわたり往復移動するように制御されていることを特徴とする請求項１または請求項２記載の椅子式マッサージ機。
【発明の詳細な説明】
【技術分野】
【０００１】
本発明は、被施療者をマッサージする椅子式マッサージ機に関する。
【背景技術】
【０００２】
この種の椅子式マッサージ機は、椅子の背凭れ部の内部に第１のマッサージユニットが移動自在に配設されると共に、椅子の座部の内部に第２のマッサージユニットが移動自在に配設され、両マッサージユニットにより背中及び臀部と脚部等の全身をマッサージするものが知られている（例えば、特許文献１参照）。
【特許文献１】特開平９−２２０２６８号公報
【発明の開示】
【発明が解決しようとする課題】
【０００３】
しかしながら、二つのマッサージユニットを備えているため、部品点数が多くなりコストが上昇すると共に、構造が複雑になって故障し易くなる問題があった。
【０００４】
本発明はこのような課題を解決するためになされたものであり、構造を簡素化すると共に部品点数を減少させても全身をマッサージすることができる椅子式マッサージ機を提供することを課題とする。
【課題を解決するための手段】
【０００５】
上記課題を解決するための手段は、被施療者が座る座部と、座部の一側面に設けられた背凭れ部と、座部の他側面に設けられた脚保持部と、背凭れ部から座部を介して脚保持部にわたり連続して形成されたガイドレールと、ガイドレール上を自在に移動するマッサージユニットとを備えたことを特徴とする。
【０００６】
上記課題を解決するための手段において、前記ガイドレールは、椅子式マッサージ機のフレームを兼用してもよい。
【０００７】
また、前記マッサージユニットは、背凭れ部から座部間にわたり往復移動するように制御されてもよい。
【０００８】
また、前記マッサージユニットは、座部から脚保持部間にわたり往復移動するように制御されてもよい。
【０００９】
また、前記マッサージユニットは、座部を介して背凭れ部から脚保持部間にわたり往復移動するように制御されてもよい。
【発明の効果】
【００１０】
本発明の請求項１の構成によれば、一つのマッサージユニットにより上半身や下半身あるいは全身をマッサージすることができるため、部品点数を少なくしてコストダウンを図ることができると共に、構成を簡素化して故障の発生度合いを減少させることができる等の効果を奏する。
【００１１】
本発明の請求項２の構成によれば、ガイドレールは、椅子式マッサージ機のフレームを兼用しているため、構成をより簡素化することができる等の効果を奏する。
【００１２】
本発明の請求項３の構成によれば、一つのマッサージユニットにより上半身をマッサー
ジすることができるため、部品点数を少なくしてコストダウンを図ることができると共に、構成を簡素化して故障の発生度合いを減少させることができる等の効果を奏する。
【００１３】
本発明の請求項４の構成によれば、一つのマッサージユニットにより下半身をマッサージすることができるため、部品点数を少なくしてコストダウンを図ることができると共に、構成を簡素化して故障の発生度合いを減少させることができる等の効果を奏する。
【００１４】
本発明の請求項５の構成によれば、一つのマッサージユニットにより全身をマッサージすることができるため、部品点数を少なくしてコストダウンを図ることができると共に、構成を簡素化して故障の発生度合いを減少させることができる等の効果を奏する。
【発明を実施するための最良の形態】
【００１５】
本発明を実施するための最良の形態の椅子式マッサージ機１を図１乃至図８に基づいて以下に詳述する。本発明の椅子式マッサージ機１は、被施療者２が腰掛ける座部３と、座部３の一端に連結された背凭れ部４と、座部３の他端に連結された脚保持部５と、被施療者２と反対側の背凭れ部４から座部３を介して脚保持部５にわたり連続して形成された左右一対のガイドレール６と、ガイドレール６上を自在に移動するマッサージユニット７と、ガイドレール６を支える一対の脚８とから構成されている（図１参照）。
【００１６】
一対のガイドレール６は、図２乃至図４に示すように、相対向する面を開放した断面略コ字状をしており夫々のガイドレール６の内側には全長にわたりラック部９が形成されている。一対のガイドレール６の両端は補助部材１０により連結されており、ガイドレール６は椅子式マッサージ機１を支持するフレームを兼用している。
【００１７】
マッサージユニット７は、図４及び図５に示すように、その左右両側の上下に配設されたガイドレール６に転動自在に嵌るローラ１１と、下側の左右のローラ１１の椅子式マッサージ機１の中央側に形成されたガイドレール６のラック部９に噛合するギア１２を有する筐体１３を備えている。筐体１３にはギア１２を回転させる駆動部１４が設けられており、駆動部１４の駆動によりマッサージユニット７はガイドレール６上を移動する。尚、マッサージユニット７を移動させる機構は、上記の構成に限定されるものではなくチェーン駆動式やネジ推進式とすることもできる。
【００１８】
被施療者２の患部を揉みや叩きマッサージする一対の施療指１５は、筐体１３から前方に突出して設けられており、図示しない公知の施療指駆動機構により上下及び／又は左右に揺動可能となっている。施療指１５は被施療者２の患部を押圧する揉み球１６と、揉み球１６を施療指１５の駆動機構に連繋するアーム１７とから構成されている。
【００１９】
図６に示すようにマッサージユニット７が背凭れ部４に対応する位置にあるときには、被施療者２肩から腰にかけてマッサージする。図７に示すようにマッサージユニット７が座部３に対応する位置にあるときには、被施療者２の臀部から太腿をマッサージする。図８に示すようにマッサージユニット７が脚保持部５に対応する位置にあるときには、被施療者２の脚部をマッサージする。
【００２０】
本発明の椅子式マッサージ機１は、図６乃至図８に示したように各部を重点的にマッサージする以外に、背凭れ部４と座部３との間をマッサージユニット７が往復移動する上半身マッサージモードと、座部３と脚保持部５との間をマッサージユニット７が往復移動する下半身マッサージモードと、座部３を介して背凭れ部４と脚保持部５との間をマッサージユニット７が往復移動する全身マッサージモードとを備えている。
【００２１】
尚、図５、図６乃至図８で一点鎖線で表したところは、ガイドレール６の中心線を表す
。
【００２２】
本願発明の椅子式マッサージ機１はこのように構成されているため、一つのマッサージユニット７により上半身や下半身あるいは全身をマッサージすることができるため、部品点数を少なくしてコストダウンを図ることができると共に、構造を簡素化して故障の発生度合いを減少させることができる。また、ガイドレール６は、椅子式マッサージ機１のフレームを兼用しているため、構造をより簡素化することができる。
【００２３】
尚、本発明の実施の形態では、ガイドレール６は椅子式マッサージ機１を支持するフレームに兼用されているが、この構造に限定されるものではない。椅子式マッサージ機１を支持するフレームとは別にガイドレール６を設けた構造にしてもよい。
【００２４】
また、マッサージユニット７のマッサージ機構は、上下及び/又は左右に揺動可能な施療指１５タイプに限定されるものではない。例えば、振動タイプやエアの供給により膨張・収縮を繰り返すエアバッグによりマッサージするタイプでもよい。
【図面の簡単な説明】
【００２５】
【図１】本発明を実施するための最良の形態の椅子式マッサージ機の斜視図である。
【図２】同椅子式マッサージ機のガイドレールの斜視図である。
【図３】同椅子式マッサージ機を後から見た斜視図である。
【図４】同椅子式マッサージ機を上方から見た水平断面図である。
【図５】同椅子式マッサージ機の背凭れ部の一部を破断した側面図である。
【図６】同椅子式マッサージ機により背中をマッサージしている状態を示す側面図である。
【図７】同椅子式マッサージ機により臀部をマッサージしている状態を示す側面図である。
【図８】同椅子式マッサージ機により脚部をマッサージしている状態を示す側面図である。
【符号の説明】
【００２６】
１    椅子式マッサージ機
２    被施療者
３    座部
４    背凭れ部
５    脚保持部
６    ガイドレール
７    マッサージユニット
【図１】
2005185468.tif 000003
【図２】
2005185468.tif 000004
【図３】
2005185468.tif 000005
【図４】
2005185468.tif 000006
【図５】
2005185468.tif 000007
【図６】
2005185468.tif 000008
【図７】
2005185468.tif 000009
【図８】
2005185468.tif 000010